(57)【特許請求の範囲】
【請求項１】
表示部と、
被写体を撮像する撮像部と、
拡大された前記被写体の画像を前記表示部に表示させる表示制御部と、
前記撮像部からユーザまでの距離を測定する距離測定部と、
前記距離測定部により測定された距離に基づいて、拡大される前記被写体の画像の倍率を決定する倍率決定部と、
操作部と、を備え、
前記表示部は、前記撮像部の起動に応じてユーザが前記撮像部から前記ユーザまでの距離を調整するための所定の画像を表示し、
前記距離測定部は、前記所定の画像が前記表示部に表示されている状態において、前記操作部により所定操作が行われたときに、前記撮像部から前記ユーザまでの距離を測定する携帯電子機器。
【請求項２】
赤外線を出射する発光部と、
前記発光部により出射された赤外線が前記ユーザに反射した反射光を受光する受光部とを備え、
前記距離測定部は、前記撮像部の起動に応じて前記発光部により前記赤外線を出射させ、当該赤外線が前記ユーザに反射して前記受光部により受光された前記反射光に基づいて、前記撮像部から前記ユーザまでの距離を測定する請求項１に記載の携帯電子機器。
【請求項３】
筐体と、
前記筐体の移動に伴う加速度を検出する加速度検出部とを備え、
前記距離測定部は、前記撮像部の起動に応じて前記加速度検出部により前記筐体の移動に伴う前記加速度を検出させ、検出された前記加速度に基づいて、前記撮像部から前記ユーザまでの距離を測定する請求項１に記載の携帯電子機器。
【請求項４】
前記表示部は、表示パネルと、当該表示パネルに向かって光を出射する光源とを有し、
前記光源は、前記所定の画像が前記表示部に表示されているときに、光を出射する請求項１から３のいずれか一項に記載の携帯電子機器。
【請求項５】
時間を計測するタイマ部を備え、
前記タイマ部は、前記撮像部の起動に応じて時間の計測を開始し、
前記表示部は、前記タイマ部により計測される時間が所定時間を経過した場合、前記所定の画像を拡大して表示する請求項１から４のいずれか一項に記載の携帯電子機器。
【請求項６】
前記表示部は、
複数の異なる倍率で被写体の画像を拡大して表示することが可能であり、
前記撮像部から前記ユーザまでの距離が所定距離より長い場合には、前記被写体の画像を拡大する際の倍率を前記複数の倍率のうち相対的に低い倍率にし、
前記撮像部から前記ユーザまでの距離が前記所定距離より短い場合には、前記被写体の画像を拡大する際の倍率を前記複数の倍率のうち相対的に高い倍率にする請求項１から５のいずれか一項に記載の携帯電子機器。
【請求項７】
拡大される前記被写体の画像の倍率が前記複数の倍率のうち相対的に高い倍率であるときには、前記被写体の画像データに対して手振れ補正処理が行われる請求項６に記載の携帯電子機器。
【発明の詳細な説明】
【技術分野】
【０００１】
本発明は、撮像部を有する携帯電子機器に関する。
【背景技術】
【０００２】
従来、撮像部を備える携帯電子機器は、被写体を拡大して撮像する機能を有しているものが多い。このような被写体を拡大して撮像する機能を利用して、拡大鏡機能を有する携帯電子機器が提案されている（例えば、特許文献１参照）。
【０００３】
特許文献１に記載の携帯電子機器は、撮像部により撮像された画像を拡大する機能と、撮像部を被写体に近接させて撮像するための接写機能と、被写体を照明する照明機能と、アイコン等を表示として被写体のみを表示部に表示させる機能と、画像のサイズを待ち受け画面サイズに変更する機能とを備えている。
【先行技術文献】
【特許文献】
【０００４】
【特許文献１】国際公開第２００５／０４１５６３号
【発明の概要】
【発明が解決しようとする課題】
【０００５】
一般的に、拡大鏡機能を使用するユーザは、遠視や近視等により視力が弱いと考えられる。しかし、視力の程度はユーザごとに異なるため、ユーザは、拡大鏡機能を使用する際に、表示部とユーザの目との距離を調整しつつ、視力の程度に応じた倍率に設定する必要があった。その結果、ユーザによる携帯電子機器の操作が煩雑になるおそれがあり、拡大鏡機能の利便性を向上させた携帯電子機器が望まれていた。
【０００６】
そこで、本発明は、拡大鏡機能の利便性を向上させることができる携帯電子機器を提供することを目的とする。
【課題を解決するための手段】
【０００７】
本発明に係る携帯電子機器は、上記課題を解決するために、表示部と、被写体を撮像する撮像部と、拡大された前記被写体の画像を前記表示部に表示させる表示制御部と、前記撮像部からユーザまでの距離を測定する距離測定部と、前記距離測定部により測定された距離に基づいて、拡大される前記被写体の画像の倍率を決定する倍率決定部とを備える。
【０００８】
また、前記携帯電子機器は、操作部を備え、前記表示部は、前記撮像部の起動に応じてユーザが前記撮像部から前記ユーザまでの距離を調整するための所定の画像を表示し、前記距離測定部は、前記所定の画像が前記表示部に表示されている状態において、前記操作部により所定操作が行われたときに、前記撮像部から前記ユーザまでの距離を測定することが好ましい。
【０００９】
また、前記携帯電子機器は、赤外線を出射する発光部と、前記発光部により出射された赤外線が前記ユーザに反射した反射光を受光する受光部とを備え、前記距離測定部は、前記撮像部の起動に応じて前記発光部により前記赤外線を出射させ、当該赤外線が前記ユーザに反射して前記受光部により受光された前記反射光に基づいて、前記撮像部から前記ユーザまでの距離を測定することが好ましい。
【００１０】
また、前記携帯電子機器は、筐体と、前記筐体の移動に伴う加速度を検出する加速度検出部とを備え、前記距離測定部は、前記撮像部の起動に応じて前記加速度検出部により前記筐体の移動に伴う前記加速度を検出させ、検出された前記加速度に基づいて、前記撮像部から前記ユーザまでの距離を測定することが好ましい。
【００１１】
また、前記表示部は、表示パネルと、当該表示パネルに向かって光を出射する光源とを有し、前記光源は、前記所定の画像が前記表示部に表示されているときに、光を出射することが好ましい。
【００１２】
また、前記携帯電子機器は、時間を計測するタイマ部を備え、前記タイマ部は、前記撮像部の起動に応じて時間の計測を開始し、前記表示部は、前記タイマ部により計測される時間が所定時間を経過した場合、前記所定の画像を拡大して表示することが好ましい。
【００１３】
また、前記表示部は、複数の異なる倍率で被写体の画像を拡大して表示することが可能であり、前記撮像部から前記ユーザまでの距離が所定距離より長い場合には、前記被写体の画像を拡大する際の倍率を前記複数の倍率のうち相対的に低い倍率にし、前記撮像部から前記ユーザまでの距離が前記所定距離より短い場合には、前記被写体の画像を拡大する際の倍率を前記複数の倍率のうち相対的に高い倍率にすることが好ましい。
【００１４】
また、前記携帯電子機器は、拡大される前記被写体の画像の倍率が前記複数の倍率のうち相対的に高い倍率であるときには、前記被写体の画像データに対して手振れ補正処理が行われることが好ましい。
【発明の効果】
【００１５】
本発明によれば、拡大鏡機能の利便性を向上させることができる携帯電子機器を提供することができる。
【図面の簡単な説明】
【００１６】
【図１】携帯電話機を開いた状態における外観斜視図である。
【図２】携帯電話機を折畳んだ状態の斜視図である。
【図３】携帯電話機の機能構成を示すブロック図である。
【図４】制御部による拡大鏡機能に係る処理について示すフローチャートである。
【発明を実施するための形態】
【００１７】
以下、図面を参照して本発明を実施するための最良の形態を説明する。
図１により、携帯電子機器としての携帯電話機１における基本構造を説明する。図１は、携帯電話機１を開いた状態における外観斜視図を示す。
【００１８】
図１に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００１９】
操作部側筐体２は、外面がフロントケース２ａとリアケース２ｂとにより構成される。操作部側筐体２は、フロントケース２ａ側に、操作部１１と、携帯電話機１の使用者が通話時に発した音声が入力されるマイクとしてのマイク１２とがそれぞれ露出するように構成される。
【００２０】
操作部１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作部１１を構成する各キーそれぞれには、操作部側筐体２と表示部側筐体３との開閉状態や各種モード、或いは起動されているアプリケーション等の種類に応じて所定の機能が割り当てられる（キー・アサイン）。そして、使用者が各キーを押圧することにより、各キーに割り当てられている機能に応じた動作が実行される。
【００２１】
マイク１２は、操作部側筐体２の長手方向における連結部４側と反対の外端部側に配置される。つまり、マイク１２は、携帯電話機１が開状態において一方の外端部側に配置される。
【００２２】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２３】
表示部側筐体３は、外面がフロントパネル３ａと、フロントケース３ｂと、リアケース３ｃと、リアパネル３ｄとにより構成される。表示部側筐体３には、各種情報を表示するための表示部２１と、通話の相手側の音声を出力するレシーバとしてのスピーカ２２と、赤外線発光部３６と、赤外線受光部３７と、が外部に露出するように配置される。
【００２４】
表示部２１は、ＬＣＤ（Ｌｉｑｕｉｄ  Ｃｒｙｓｔａｌ  Ｄｉｓｐｌａｙ）や有機ＥＬ（Ｅｌｅｃｔｏｒｏ  Ｌｕｍｉｎｅｓｃｅｎｃｅ）を含む表示パネル２２１と、この表示パネル２２１を駆動する駆動回路２２２と、この表示パネル２２１の背面側から表面側に向かって光を照射するバックライトを含む光源２２３とを有している。
【００２５】
また、図２は、携帯電話機１を折畳んだ状態の斜視図を示す図である。操作部側筐体２は、一方の側面に、所定の機能が割り当てられているサイドキー３０と、外部メモリの挿入及び取り出しが行われるインターフェース用のキャップ３１と、を備えている。また、表示部側筐体３は、また、表示部側筐体３のリアパネル３ｄ表面には、被写体を撮像するカメラ３３と、被写体に光を照射するライト３４と、が露出して形成されている。
【００２６】
図３は、携帯電話機１の機能構成を示すブロック図である。
図３に示すように、携帯電話機１は、操作部１１と、マイク１２と、表示部２１と、スピーカ２２と、カメラ３３と、赤外線発光部３６と、赤外線受光部３７と、加速度センサ３８と、通信部４２と、記憶部４４と、タイマ４５と、制御部４６とを備える。
【００２７】
マイク１２及びスピーカ２２は、制御部４６の制御に従って動作する。例えば、ハンズフリー通話を行う際には、制御部４６は、通常の通話時よりもマイク１２の感度が高くなるように制御し、通常の通話時よりもスピーカ２２の音量を大きくするように制御する。
【００２８】
カメラ３３は、レンズ、ＣＣＤ（Ｃｈａｒｇｅ  Ｃｏｕｐｌｅｄ  Ｄｅｖｉｃｅ）、駆動機構、ＤＳＰ（Ｄｉｇｉｔａｌ  Ｓｉｇｎａｌ  Ｐｒｏｃｅｓｓｏｒ）等を含むカメラモジュールを備える。カメラ３３は、被写体の画像を撮像して、画像データを生成する。そして、カメラ３３は、生成した画像データを制御部４６に出力する。
【００２９】
赤外線発光部３６は、例えば、ＬＥＤ（Ｌｉｇｈｔ  Ｅｍｉｔｔｉｎｇ  Ｄｉｏｄｅ）で構成され、赤外線を出射する。
赤外線受光部３７は、赤外線を受光する受光素子で構成され、赤外線発光部３６により出射された赤外線が対象物（例えば、ユーザの体）に反射した反射光を受光する。
【００３０】
加速度センサ３８は、操作部側筐体２内に設けられ、互いに直交する三軸（Ｘ軸、Ｙ軸、Ｚ軸）方向の加速度を検出する三軸加速度センサで構成される。加速度センサ３８は、操作部側筐体２の位置の変動を加速度値として検出し、制御部４６に出力する。
【００３１】
通信部４２は、メインアンテナ４０と、ＲＦ回路部４１とを備え、所定の通信先と通信を行う。通信部４２が通信を行う通信先としては、携帯電話機１と電話やメールの送受信を行う外部の端末装置や、携帯電話機１がインターネットの接続を行う外部のＷｅｂサーバ等の外部装置が挙げられる。
【００３２】
ＲＦ回路部４１は、メインアンテナ４０によって受信した信号を復調処理し、処理後の信号を制御部４６に供給する。また、ＲＦ回路部４１は、制御部４６から供給された信号を変調処理し、メインアンテナ４０を介して外部装置（基地局）に送信する。
表示部２１は、制御部４６の制御に従って、各種情報に基づく画像や動画等を表示する。
【００３３】
記憶部４４は、例えば、不揮発性メモリで構成される。記憶部４４は、ワーキングメモリを含み、制御部４６による演算処理に利用される。また、記憶部４４には、オペレーティングシステム（ＯＳ）、電話番号、メールアドレス等が記憶されるアドレス帳、複数のアプリケーションプログラム、各種データファイル等が記憶されている。また、記憶部４４は、着脱可能な外部メモリを兼ねていてもよい。
【００３４】
タイマ４５は、制御部４６からの指示に基づいて時間を計測し、計測した時間を制御部４６に通知する。なお、本実施形態のタイマ４５は、制御部４６の外部に設けられているが、制御部４６に内蔵されていてもよい。
制御部４６は、携帯電話機１の全体を制御しており、中央処理装置（ＣＰＵ）等により構成される。
【００３５】
また、制御部４６は、撮像制御部４６１と、画像処理部４６２と、表示制御部４６３と、距離測定部４６４と、倍率決定部４６５とを備える。
【００３６】
撮像制御部４６１は、カメラ３３の制御を行う。例えば、撮像制御部４６１は、カメラ３３を起動させて、記憶部４４から倍率等を含むデフォルトデータを読み出し、デフォルトデータに含まれる倍率（例えば、光学１倍）となるように、カメラ３３の駆動機構を制御してレンズの位置を調整する。すなわち、撮像制御部４６１は、カメラ３３に対して、いわゆる光学ズーム処理を行う。また、撮像制御部４６１は、光学式の手振れ補正を行う。ここで、光学式の手振れ補正としては、加速度センサ３８や振動ジャイロ機構（図示せず）等を用いたレンズシフト方式やイメージセンサシフト方式等の既知の手振れ補正処理を用いることができる。
【００３７】
画像処理部４６２は、カメラ３３により撮像された被写体の画像データに対して各種の処理を行う。例えば、画像処理部４６２は、カメラ３３により撮像された被写体の画像データをデジタル処理して拡大又は縮小する、いわゆるデジタルズーム処理を行う。また、画像処理部４６２は、被写体の画像データに対してデジタル式の手振れ補正を行う。ここで、デジタル式の手振れ補正としては、既知の手振れ補正処理を用いることができる。
【００３８】
表示制御部４６３は、カメラ３３により撮像された被写体の画像データを、記憶部４４にあらかじめ記憶されている所定の倍率（例えば、１倍、２倍、４倍、８倍等）で拡大して、表示部２１に表示させる。これにより、ユーザは、拡大された被写体の画像データを視認できるため、携帯電話機１は、被写体を拡大して表示する拡大鏡機能を有することとなる。
【００３９】
次に、本実施形態に係る制御部４６による拡大鏡機能を向上させる処理について説明する。
まず、距離測定部４６４は、撮像制御部４６１によりカメラ３３が起動されると、カメラ３３からユーザまでの距離を測定する。
そして、倍率決定部４６５は、距離測定部４６４により測定されたカメラ３３からユーザ距離に基づいて、拡大される被写体の画像の倍率を決定する。
【００４０】
これにより、携帯電話機１は、被写体の画像を拡大する倍率をユーザの視力に応じた倍率に決定することができるため、拡大鏡機能の利便性を向上させることができる。
【００４１】
また、表示制御部４６３は、撮像制御部４６１によるカメラ３３の起動に応じて、ユーザがカメラ３３からユーザまでの距離を測定（調整）するための測定用画像（例えば、視力測定に用いられるランドルト環の画像、所定の画像）を表示部２１に表示させる。
【００４２】
測定用画像が表示部２１に表示されると、携帯電話機１は、表示された測定用画像がはっきり見える距離にユーザにより移動される。そして、ユーザは、測定用画像がはっきり見える距離において、操作部１１の決定操作キー１５を押下する。
【００４３】
すなわち、距離測定部４６４は、表示制御部４６３により測定用画像が表示部２１に表示されている状態において、決定操作キー１５が押下（所定操作）されたときに、カメラ３３からユーザまでの距離を測定する。
そして、倍率決定部４６５は、距離測定部４６４により測定されたカメラ３３からユーザ距離に基づいて、拡大される被写体の画像の倍率を決定する。
【００４４】
これにより、携帯電話機１は、測定用画像を用いてカメラ３３からユーザまでの距離を測定するため、ユーザの視力に応じた倍率を適切に選択することができる。
【００４５】
また、距離測定部４６４は、カメラ３３の起動に応じて赤外線発光部３６により赤外線を出射させ、出射された赤外線がユーザに反射して赤外線受光部３７により受光された反射光に基づいて、カメラ３３からユーザまでの距離を測定する。
【００４６】
具体的には、距離測定部４６４は、赤外線発光部３６により赤外線を出射させてから赤外線受光部３７により反射光が受光されるまでの時間を測定し、測定された時間に基づいて、カメラ３３からユーザまでの距離を測定する。又は、距離測定部４６４は、赤外線受光部３７により受光された反射光の強度を測定し、測定された反射光の強度に基づいて、カメラ３３からユーザまでの距離を測定する。
【００４７】
このように本実施形態によれば、携帯電話機１は、赤外線を用いてカメラ３３からユーザまでの距離を測定するため、カメラ３３からユーザまでの距離を好適に測定することができる。
【００４８】
また、上述した赤外線に代えて、距離測定部４６４は、カメラ３３の起動に応じて加速度センサ３８により操作部側筐体２（携帯電話機１）の移動に伴う加速度を検出させてもよい。そして、距離測定部４６４は、検出された加速度に基づいて、カメラ３３からユーザまでの距離を測定する。なお、この場合、携帯電話機１は、ユーザの顔に近接する位置から測定用画像がはっきり見える位置へユーザにより移動される。
【００４９】
具体的には、距離測定部４６４は、加速度センサ３８により検出された加速度を２回積分して変位量を算出する。距離測定部４６４は、算出された変位量をカメラ３３からユーザまでの距離とする。
【００５０】
このように本実施形態によれば、携帯電話機１は、加速度センサ３８により検出された加速度を用いてカメラ３３からユーザまでの距離を測定するため、カメラ３３からユーザまでの距離を好適に測定することができる。
【００５１】
さらに、表示制御部４６３は、測定用画像が表示部２１に表示されているときに、表示部２１の光源２２３により光を出射する。
これにより、携帯電話機１は、測定用画像が表示部２１に表示されているときに、光源２２３が消灯しないため、例えば、ユーザが測定用画像を用いて見やすい距離に携帯電話機１を移動させる動作に時間が掛かっても、カメラ３３からユーザまでの距離を適切に測定できる。
【００５２】
また、撮像制御部４６１は、カメラ３３の起動に応じて、タイマ４５により時間の計測を開始させる。
そして、表示制御部４６３は、タイマ４５により計測される時間が所定時間（例えば、３０秒）を経過した場合、測定用画像を拡大して表示部２１に表示させる。
【００５３】
ここで、カメラ３３が起動してから所定時間が経過した場合には、ユーザは、測定用画像がはっきり見える位置が定まらないことが考えられる。すなわち、ユーザは近視の程度が強いことが考えられる。そのため、携帯電話機１は、所定時間経過後に測定用画像を自動的に拡大することで、ユーザは、測定用画像がはっきり見える位置をより適切に決定することができる。
【００５４】
また、倍率決定部４６５は、上述したように複数の異なる倍率（例えば、１倍、２倍、４倍、８倍）で被写体を拡大可能である。すなわち、表示部２１は、複数の異なる倍率（例えば、１倍、２倍、４倍、８倍）で被写体の画像を拡大して表示することが可能である。
倍率決定部４６５は、距離測定部４６４により測定されたカメラ３３からユーザまでの距離が所定距離よりも長いか否かを判定する。ここで、所定距離は、例えば、測定用画像を裸眼ではっきり見ることができる距離とする。
【００５５】
倍率決定部４６５は、距離測定部４６４により測定されたカメラ３３からユーザまでの距離が所定距離よりも長い場合には、被写体の画像を拡大する際の倍率を複数の倍率のうち相対的に低い倍率（例えば、２倍）に決定する。すなわち、表示部２１は、距離測定部４６４により測定されたカメラ３３からユーザまでの距離が所定距離よりも長い場合には、被写体の画像を拡大する際の倍率を複数の倍率のうち相対的に低い倍率（例えば、２倍）にする。
【００５６】
一方、倍率決定部４６５は、距離測定部４６４により測定されたカメラ３３からユーザまでの距離が所定距離よりも短い場合には、被写体の画像を拡大する際の倍率を複数の倍率のうち相対的に高い倍率（例えば、８倍）に決定する。すなわち、表示部２１は、距離測定部４６４により測定されたカメラ３３からユーザまでの距離が所定距離よりも短い場合には、被写体の画像を拡大する際の倍率を複数の倍率のうち相対的に高い倍率（例えば、８倍）にする。
【００５７】
ここで、カメラ３３からユーザまでの距離が所定距離より長い場合には、ユーザは遠視であることが考えられるため、携帯電話機１は、倍率を相対的に低い倍率に決定する。一方、カメラ３３からユーザまでの距離が所定距離よりも短い場合には、ユーザは近視であることが考えられるため、携帯電話機１は、倍率を相対的に高い倍率に決定する。このように本実施形態によれば、携帯電話機１は、ユーザの視力に応じた好ましい倍率を決定することができる。
【００５８】
また、画像処理部４６２（手振れ補正部）は、倍率決定部４６５により被写体の画像の倍率が複数の倍率のうち相対的に高い倍率に決定されたときは、被写体の画像データに対してデジタル式の手振れ補正処理を行う。又は、撮像制御部４６１（手振れ補正部）は、倍率決定部４６５により被写体の倍率が複数の倍率のうち相対的に高い倍率に決定されたときは、被写体の画像データに対して光学式の手振れ補正を行う。
【００５９】
ここで、被写体を拡大する際の倍率が相対的に高い倍率である場合には、拡大された画像データは、手振れの影響を受けやすくなる。本実施形態によれば、携帯電話機１は、被写体の倍率が複数の倍率のうち相対的に高い倍率に決定されたときに、被写体の画像データに対して手振れ補正を行うため、拡大された画像における手振れの影響を低減することができる。
【００６０】
次に、本実施形態に係る制御部４６の処理について説明する。図４は、制御部４６による拡大鏡機能に係る処理について示すフローチャートである。
ステップＳ１において、撮像制御部４６１は、操作部１１に対する操作に応じて、カメラ３３及びカメラアプリケーションプログラムを起動する。
【００６１】
ステップＳ２において、撮像制御部４６１は、複数の撮像設定モード（例えば、通常モード、動画撮像モード、拡大鏡モード）のうち、拡大鏡モードが選択されているか否かを判定する。拡大鏡モードが選択されている場合（ＹＥＳ）には、ステップＳ３へ移る。拡大鏡モードが選択されていない場合（ＮＯ）には、処理を終了する。
【００６２】
ステップＳ３において、撮像制御部４６１は、カメラ３３により被写体の画像を撮像させる。また、撮像制御部４６１は、タイマ４５により時間の計測を開始させる。
ステップＳ４において、表示制御部４６３は、カメラ３３からユーザまでの距離を測定するための測定用画像を表示部２１に表示させる。さらに、表示制御部４６３は、測定用画像が表示部２１に表示されているときに、表示部２１の光源２２３により光を出射させる。
【００６３】
ステップＳ５において、表示制御部４６３は、タイマ４５により計測される所定時間内に決定操作キー１５が押下されたか否かを判定する。所定時間内に決定操作キー１５が押下された場合（ＹＥＳ）には、ステップＳ８へ移る。所定時間内に決定操作キー１５が押下されない、つまり、所定時間が経過した場合（ＮＯ）には、ステップＳ６へ移る。
【００６４】
ステップＳ６において、表示制御部４６３は、測定用画像を拡大して表示部２１に表示させる。
ステップＳ７において、表示制御部４６３は、決定操作キー１５が押下されたか否かを判定する。決定操作キー１５が押下された場合（ＹＥＳ）には、ステップＳ８へ移る。決定操作キー１５が押下されない場合（ＮＯ）には、再度ステップＳ７の処理を繰り返す。
【００６５】
ステップＳ８において、距離測定部４６４は、カメラ３３からユーザまでの距離を測定する。ここで、距離測定部４６４は、上述したように、赤外線発光部３６及び赤外線受光部３７、又は加速度センサ３８を用いてカメラ３３からユーザまでの距離を測定する。
【００６６】
ステップＳ９において、倍率決定部４６５は、距離測定部４６４により測定されたカメラ３３からユーザまでの距離が所定距離と略一致するか否かを判定する。カメラ３３からユーザまでの距離が所定距離と略一致する場合（ＹＥＳ）には、ステップＳ１０へ移る。カメラ３３からユーザまでの距離が所定距離と略一致しない場合（ＮＯ）には、ステップＳ１１へ移る。
ステップＳ１０において、倍率決定部４６５は、被写体の画像を拡大する際の倍率を複数の倍率のうち相対的に中程度の倍率（例えば、４倍）に決定する。
【００６７】
ステップＳ１１において、倍率決定部４６５は、距離測定部４６４により測定されたカメラ３３からユーザまでの距離が所定距離よりも長いか否かを判定する。カメラ３３からユーザまでの距離が所定距離よりも長い場合（ＹＥＳ）には、ステップＳ１２へ移る。カメラ３３からユーザまでの距離が所定距離以下の場合（ＮＯ）には、ステップＳ１３へ移る。
【００６８】
ステップＳ１２において、倍率決定部４６５は、被写体の画像を拡大する際の倍率を複数の倍率のうち相対的に低い倍率（例えば、２倍）に決定する。
ステップＳ１３において、倍率決定部４６５は、被写体の画像を拡大する際の倍率を複数の倍率のうち相対的に高い倍率（例えば、８倍）に決定する。
【００６９】
ステップＳ１４において、画像処理部４６２又は撮像制御部４６１は、被写体の画像データに対して手振れ補正処理を行う。
本実施形態によれば、携帯電話機１は、被写体の画像を拡大する倍率をユーザの視力に応じた倍率に決定することができるため、拡大鏡機能の利便性を向上させることができる。
【００７０】
以上、本発明の実施形態について説明したが、本発明は上述した実施形態に制限されるものではなく、適宜変更が可能である。
【００７１】
また、上述した実施形態において、携帯電子機器としての携帯電話機１について説明したが、これに限定されず、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【００７２】
１  携帯電話機（携帯電子機器）
２１  表示部
３３  カメラ（撮像部）
４６１  撮像制御部
４６３  表示制御部
４６４  距離測定部
４６５  倍率決定部
【図１】
0005524667.tif 000002
【図２】
0005524667.tif 000003
【図３】
0005524667.tif 000004
【図４】
0005524667.tif 000005